(57)【要約】本発明は、ブラウザ型のプログラムと共にディスプレイするようにカスタマイズされるデジタルディレクトリページの生成方法に関し、この方法は、他のページへアクセスするためのハイパーテキストリンクと、絵文字に結合される記述子とを含むＨＴＭＬタイプのページに対応するデジタルファイルをクライアント局の一時的なメモリに記録して、クライアント局で前記ページを表示し、リンクの識別子と、ユーザが選択する少なくとも一つのカスタマイズ記述子とを含む少なくとも一つのカスタマイズファイルをクライアント局の一時的なメモリに記録し、前記一時的なメモリの内容をサーバ局に伝送し、ユーザの識別子と結合してカスタマイズファイルのデータをサーバのメモリに記録することからなるカスタマイズステップを含むことを特徴とする。【選択図】図２
2004512616.tif 000002
【特許請求の範囲】
【請求項１】
ブラウザ型のプログラムと共にディスプレイするようにカスタマイズされるデジタルディレクトリページの生成方法において、
他のページへアクセスするためのハイパーテキストリンクと、絵文字に結合される記述子とを含むＨＴＭＬタイプのページに対応するデジタルファイルをクライアント局の一時的なメモリに記録して、クライアント局で前記ページを表示し、
リンクの識別子と、ユーザが選択する少なくとも一つのカスタマイズ記述子とを含む少なくとも一つのカスタマイズファイルをクライアント局の一時的なメモリに記録し、
前記一時的なメモリの内容をサーバ局に伝送し、
ユーザの識別子と当該リンクの識別子とを結合してカスタマイズファイルのデータをサーバのメモリに記録することからなるカスタマイズステップを含むことを特徴とする方法。
【請求項２】
単一識別子と、結合されるユーザの少なくとも一つの記述子とを各ユーザのために含む第一のユーザデータベースと、単一識別子と１個のアドレスとを各サイトのために含む第二のサイトデータベースと、単一識別子と複数のサイト識別子とを各カテゴリーのために含む第三のサイトカテゴリーテーブルと、各記術子のための単一識別子と、複数のサイト識別子およびユーザ識別子とを含む第四の記述子データベースとを、サーバのメモリに記録し、クライアント局から送られる要求が、カテゴリー識別子とユーザの識別子とを含み、この要求により生成されるファイルが、クライアント局から伝送されるカテゴリー識別子に結合されるサイト識別子を含むとともに、前記サイト識別子の各々に対して、サイト識別子と当該ユーザの識別子とに対応するカテゴリー識別子を含むことを特徴とする、請求項１に記載のカスタマイズされるデジタルディレクトリページの生成方法。
【請求項３】
ユーザによる記述子の選択が、ディレクトリページに表示される１個の絵文字の指定により行われ、表示される絵文字の記術子のアイデンティティの記録が、サイトを指定することと、少なくとも一つのカテゴリー識別子およびサイト識別子からなる組を含むデジタルファイルをクライアント局からサーバ局に伝送することとによって行われることを特徴とする、請求項１または２に記載のカスタマイズされるデジタルディレクトリページの生成方法。
【請求項４】
ページ表示手段が、結合されるパーソナル記述子の値に応じて表示サイトの識別子を選択するフィルタを含むことを特徴とする、請求項１〜３のいずれか一項に記載のカスタマイズされるデジタルディレクトリページの生成方法。
【請求項５】
削除する絵文字を選択し、一つまたは複数のサイト識別子を選択し、選択された各サイトに対応する記述子に所定値を割り当て、次いでサーバにこれらの情報を伝送し、前記削除されるサイトに関連する前記所定値を記述子のデータベースに記録することからなる削除サイトの選択ステップを含むことを特徴とする、請求項１〜４のいずれか一項に記載のカスタマイズされるデジタルディレクトリページの生成方法。
【請求項６】
サイト識別子を選択し、既存のカテゴリーに対応する値を割り当て、次いで、サーバに前記情報を伝送し、選択されたサイト識別子をカテゴリーデータベースに記録することからなるカテゴリーへのサイト追加ステップを含むことを特徴とする、請求項１〜５のいずれか一項に記載のカスタマイズされるデジタルディレクトリページの生成方法。
【請求項７】
追加カテゴリーを追加するステップを含むことを特徴とする、請求項１〜６のいずれか一項に記載のカスタマイズされるデジタルディレクトリページの生成方法。
【請求項８】
パーソナルコメントを記録し、パーソナルコメントを含むサイトに結合されるアイコンをディスプレイするステップを含み、前記アイコンが、パーソナルコメントまたは公開説明の間で行き来するリンクに結合されることを特徴とする、請求項１〜７のいずれか一項に記載のカスタマイズされるデジタルディレクトリページの生成方法。
【請求項９】
結合されるサイトの事前ロードを制御可能な「事前ロード」インジケータの記録ステップと、クリック可能なアイコンの出現を制御するディスプレイステップとを含み、前記アイコンにより、キャッシュメモリにロードされたＨＴＭＬページと共にウィンドウを開くことができ、事前ロードの状態（キャッシュメモリにロード中の状態、事前ロードされてすぐにディスプレイ可能な状態、あるいはセッション中に既にディスプレイされた状態）に応じて絵文字の出現を変更することを特徴とする、請求項１〜８のいずれか一項に記載のカスタマイズされるデジタルディレクトリページの生成方法。
【発明の詳細な説明】
【０００１】
本発明は、インターネットネットワークまたは通信ネットワークに接続されるクライアント局にサーバから伝送されるデジタルページとして構成された、インタラクティブパーソナルディレクトリに関する。
【０００２】
従来技術では、ディレクトリページの生成方法に関して様々な特許が知られている。
【０００３】
たとえば、ＰＣＴ特許ＷＯ００／５５７４１は、インターネットネットワークのリンクの管理分類システムおよび方法に関し（ＵＲＬ：「ｕｎｉｆｏｒｍ　ｒｅｓｏｕｒｃｅｓ　ｌｏｃａｔｏｒｓ」とも呼ばれる）、インターネットネットワークの閲覧性を改善するために、前記リンクの公開ディレクトリおよびパーソナルディレクトリを形成できるようにしたものである。従来技術のシステムは、さまざまな実施形態で、多数のユーザのためにＷｅｂリンクを保存するとともに、Ｗｅｂリンクの抽出方法および表示方法、ユーザがシステムに保存した既存のリンクに結合されるＷｅｂリンクのサーチ方法、ならびに他の特性を提供している。ユーザは、多数のリンクを組織かつ管理し、他のユーザの多数のリンクで関連リンクをサーチすることができる。データベースを対応させるという特性は、たとえば年齢、性別、職業活動の種類などを含むユーザに関するプロフィール情報のような、様々な関係をサーチするための他の情報を使用可能である。
【０００４】
１９９７年９月１日付のＮｏｒｔｈ　Ｈｏｌｌａｎｄ　Ｐｕｂｌｉｓｈｉｎｇ、Ａｍｓｔｅｒｄａｍ第２９巻８−１３号「Ｃｏｍｐｕｔｅｒ　Ｎｅｔｗｏｒｋｓ　ａｎｄ　ＩＳＤＮ　ｓｙｓｔｅｍｓ」“Ａ　ｂｏｏｋｍａｒｋｉｎｇ　ｓｅｒｖｉｃｅ　ｆｏｒ　ｏｒｇａｎｉｚｉｎｇ　ａｎｄ　ｓｈａｒｉｎｇ　ＵＲＬｓ”の記事は、一連のリンクを構成し、このリンクをカスタマイズ可能にする別の解決方法を開示している。
【０００５】
本発明の目的は、インターネットまたはイントラネットタイプのネットワークによりページサーバに接続される各ユーザが、提案されるサイトにパーソナル記術子を結合することによって相互作用的にディレクトリをカスタマイズできるようにすることにある。
【０００６】
本発明は、連続する閲覧を管理可能にし、提案されるリストの内容を変更するとともに充実させることができるようにし、それによって、インターネットのユーザに著しい快適性および自在性を提案することをめざす。
【０００７】
このため、本発明は、最も一般的な意味によれば、ブラウザ型のプログラムと共にディスプレイするようにカスタマイズされるデジタルディレクトリページの生成方法に関し、この方法は、
−他のページへアクセスするためのハイパーテキストリンクと、絵文字に結合される記述子とを含むＨＴＭＬタイプのページに対応するデジタルファイルをクライアント局の一時的なメモリに記録して、クライアント局で前記ページを表示し、
−リンクの識別子と、ユーザが選択する少なくとも一つのカスタマイズ記述子とを含む少なくとも一つのカスタマイズファイルをクライアント局の一時的なメモリに記録し、
−前記一時的なメモリの内容をサーバ局に伝送し、
−ユーザの識別子と当該リンクの識別子とを結合してカスタマイズファイルのデータをサーバのメモリに記録することからなるカスタマイズステップを含むことを特徴とする。
【０００８】
好適な実施形態によれば、単一識別子と、結合されるユーザの少なくとも一つの記述子とを各ユーザのために含む第一のユーザデータベースと、単一識別子と１個のアドレスとを各サイトのために含む第二のサイトデータベースと、単一識別子と複数のサイト識別子とを各カテゴリーのために含む第三のサイトカテゴリーテーブルと、各記術子のための単一識別子と、複数のサイト識別子およびユーザ識別子とを含む第四の記述子データベースとを、サーバのメモリに記録し、クライアント局から送られる要求が、カテゴリー識別子とユーザの識別子とを含み、この要求により生成されるファイルが、クライアント局から伝送されるカテゴリー識別子に結合されるサイト識別子を含むとともに、前記サイト識別子の各々に対して、サイト識別子と当該ユーザの識別子とに対応するカテゴリー識別子を含む。
【０００９】
有利には、ユーザによる記述子の選択が、ディレクトリページに表示される１個の絵文字の指定により行われ、表示される絵文字の記術子のアイデンティティの記録が、サイトを指定することと、少なくとも一つのカテゴリー識別子およびサイト識別子からなる組を含むデジタルファイルをクライアント局からサーバ局に伝送することとによって行われる。
【００１０】
変形実施形態によれば、ページ表示手段が、結合されるパーソナル記述子の値に応じて表示サイトの識別子を選択するフィルタを含む。
【００１１】
別の変形実施形態によれば、削除する絵文字を選択し、一つまたは複数のサイト識別子を選択し、選択された各サイトに対応する記述子に所定値を割り当て、次いでサーバにこれらの情報を伝送し、前記削除されるサイトと関連する前記所定値を記述子のデータベースに記録することからなる削除サイトの選択ステップを含む。
【００１２】
実際には、これらのサイトは、表示リストから削除されるだけ。これらのサイトは、後で行う操作により復活させることができる。
【００１３】
有利には、この方法は、サイト識別子を選択し、既存のカテゴリーに対応する値を割り当て、次いで、サーバに前記情報を伝送し、選択されたサイトの識別子をカテゴリーデータベースに記録することからなるカテゴリーへのサイトの追加ステップを含む。
【００１４】
この操作は、絵文字「コピー」に作用することより実施可能である。この絵文字は、考慮された操作を実施して宛先（カテゴリー）を指定するアプリケーションに向かうリンクに結合される。この操作は、また、データベースにはないサイトを追加し、所定の用紙に記入することによってこのサイトをカテゴリーに組み込むことができる。
【００１５】
別の変形実施形態によれば、前記方法は、ユーザまたはユーザ共同体に特有の新しいサイトカテゴリーをサーバに記録する。
【００１６】
本発明は、添付図面を参照しながら、限定的ではない以下の実施例の説明を読めば、いっそう理解されるであろう。
【００１７】
サーバは、以下のようなテーブルの集合を含む。
−各ユーザに対して、単一識別子ＩＤｕｔと、ユーザのパーソナルデータとを記録する「ユーザ」テーブル（１）
−各カテゴリーまたはサイトシリーズに対して、単一識別子ＩＤｃａｔならびに、カテゴリーのテキストまたはグラフィカル名称と、説明と、任意選択として、複数のカテゴリーを集めたカテゴリー分類に対応する単一識別子ＩＤｃｍとを記録する「カテゴリー」テーブル（２）
−カテゴリー識別子と、このカテゴリーに属するサイトの識別子とを含むテーブル（３）
−単一のサイト識別子ＩＤｓｉｔｅと、サイトのアドレスＩＰ、ならびに任意選択としてサイトの記述子を含む「サイト」テーブル（４）、
−各ユーザおよび各サイトに対して優先識別子を記録する「優先」テーブル（５）。
【００１８】
ユーザは、クライアント局から、この優先インジケータを変更する。インターネットのユーザは、要求の送信によりサイトカテゴリーを選択する。この要求は、コンピュータの画面にディスプレイされるハイパーテキストリンクを選択し、このハイパーテキストリンクに結合される識別子を記録し、前記選択されたカテゴリーの識別子ならびにユーザの識別子を含むデジタルファイルとしてサーバ局に送信することからなる。
【００１９】
サーバは、返信として、カテゴリー識別子に結合される情報および、このカテゴリー識別子に結合されるサイトのリスト、ならびに優先インジケータが存在する場合はこのインジケータを含むファイルを送る。
【００２０】
ブラウザは、このファイルを用いて、図２に示したような画面を表示する。
【００２１】
ユーザは、選択可能な一連の絵文字を自由に使って、リストに現れるサイトに注釈を付ける。絵文字「訪問」は、インターネットのユーザが後で訪問したいサイトを予め選択可能にするものである。
【００２２】
絵文字「消去」は、既存の絵文字との重ね合わせにより、リストで挙げられたサイトと関連して現れる絵文字を消去可能にする。
【００２３】
絵文字「事前ロード」は、サイトの事前ロードを制御可能にする。この絵文字は、クリック可能なアイコンの出現を制御する情報処理手続に結合され、キャッシュメモリにロードされたＨＴＭＬページと共にウィンドウを開けられるようにする。さらに、情報処理手順は、事前ロードの状態（キャッシュメモリにロード中の状態、事前ロードされてすぐにディスプレイ可能な状態、あるいはセッション中に既にディスプレイされた状態）に応じて絵文字の出現を変更する。
【００２４】
絵文字「スマイリーズ（ｓｍｉｌｅｙｓ）」は、サイトのメリットを知らせることができる。
【００２５】
絵文字「コメント」は、サイトに関連するコメントを記録できる。この機能は、また、「サイト」テーブルにより提案された説明を、「優先」テーブルに記録されたパーソナルコメントに代えることができる。
【００２６】
このようにコメントされるサイトは、クリック可能な絵文字と関連して提示され、パーソナルコメントまたは公開説明を交互に表示可能である。任意選択により、パーソナルコメントを一定情報の記録で補ってもよく、パーソナルコメントを単独で、または公開説明を伴って、あるいは、二種類のコメント間で「行き来」できるようにクリック可能なアイコンと共にディスプレイすることができる。
【００２７】
絵文字「投票」は、複数のユーザに共通なインジケータをサイトに結合し、インターネットユーザ共同体の優先サイト「ｂｅｓｔ　ｏｆ」を出現させることができる。
【００２８】
表示は、さらに、次のような付加的な機能を有する。
−優先ページに直接アクセスするためのショートカットリスト機能
−最近訪問したサイトのリストを記憶および表示する履歴機能
−他のリストから送られるサイトの付加機能。この機能は、インターネットのユーザが形成したサイトの追加から構成できる。
【００２９】
別の機能は、お気に入りのカスタマイズ管理である。この機能は、ユーザが予め選択されたサイト識別子をテーブルに記録し、予め選択したサイトのリストを受付ページに形成して、ハイパーテキストリンクによりこれらのサイトに早くアクセスできるようにしたものである。お気に入りの名称は、絵文字の割り当てにより行われる。これにより、指定されたサイトの余白に目印を与え、さらに、お気に入りリストに自動的にこのサイトを入れる。
【００３０】
別の機能は、パーソナルカテゴリーをカテゴリーテーブルに記録することからなる。ユーザは、こうした個人的な興味を持つ局に対応するディレクトリを構成するサイトを選択または形成して、カテゴリーテーブルに記録することができる。
【００３１】
別の機能は、「訪問」アイコンを選択サイトに割り当てることからなる。このアイコンは、ディレクトリページの表示をフィルタリングし、ユーザに結合される対応テーブルに、このインジケータを含むサイトだけを任意選択でディスプレイできるようにする。
【００３２】
必要に応じて、ＨＴＭＬページは、割り当てのない絵文字のライブラリを含み、標準絵文字のグラフィカル形状を変更したり、あるいは追加機能を形成したりすることができる。このライブラリは、付加的なウィンドウまたは主要ウィンドウの一部でディスプレイ可能である。
【００３３】
以上、限定的ではない例として本発明の説明を行った。
【図面の簡単な説明】
【図１】
サーバのアーキテクチャを示す図である。
【図２】
本発明による方法で生成された表示画面を示す図である。
【図１】
2004512616.tif 000003
【図２】
2004512616.tif 000004
【国際公開パンフレット】
2004512616.tif 000005
2004512616.tif 000006
2004512616.tif 000007
2004512616.tif 000008
2004512616.tif 000009
2004512616.tif 000010
2004512616.tif 000011
2004512616.tif 000012
2004512616.tif 000013
2004512616.tif 000014
2004512616.tif 000015
2004512616.tif 000016
2004512616.tif 000017
2004512616.tif 000018
2004512616.tif 000019
2004512616.tif 000020
2004512616.tif 000021
【国際調査報告】
2004512616.tif 000022
2004512616.tif 000023
2004512616.tif 000024
2004512616.tif 000025
2004512616.tif 000026
2004512616.tif 000027